(57)【要約】【課題】  高速記録のために記録媒体の搬送速度の高速化を図りつつ、高品質の画像を記録することができるインクジェット記録装置および記録ヘッドを提供すること。【解決手段】  記録用紙１４上における主滴１８Ａの到達位置に対して副滴１８Ｂの到達位置を近づけるように、主滴１８Ａの飛翔奇跡ＬＡと副滴１８Ｂの飛翔軌跡ＬＢを記録用紙１４の搬送方向においてずらす。【選択図】  図３
2005289012.tif 000002
【特許請求の範囲】
【請求項１】
吐出口からインクの主滴と副滴を吐出可能な記録ヘッドを用いて、所定方向に搬送される記録媒体に画像を記録するインクジェット記録装置において、
前記記録媒体上における前記主滴の到達位置に対して前記副滴の到達位置を近づけるように、前記主滴と前記副滴の飛翔軌跡を前記記録媒体の搬送方向においてずらすことを特徴とするインクジェット記録装置。
【請求項２】
前記副滴の飛翔軌跡を前記副滴の飛翔軌跡よりも前記搬送方向の下流側にずらすことを特徴とする請求項１に記載のインクジェット記録装置。
【請求項３】
前記記録媒体の記録面に対する前記主滴と前記副滴の吐出方向を前記搬送方向に沿う方向において傾斜させるように、前記記録ヘッドを支持する支持手段を備えることを特徴とする請求項１または２に記載のインクジェット記録装置。
【請求項４】
前記吐出口からの前記主滴と前記副滴の吐出方向を前記搬送方向においてずらすように、前記インクと接する前記吐出口の近傍部分の濡れ性が前記搬送方向の上流側部分と下流側部分において異なることを特徴とする請求項１から３のいずれかに記載のインクジェット記録装置。
【請求項５】
前記吐出口からの前記主滴と前記副滴の吐出方向を前記搬送方向においてずらすように、前記吐出口が形成される吐出口面は、前記記録媒体の記録面に対して前記搬送方向に沿う方向において傾斜することを特徴とする請求項１から４のいずれかに記載のインクジェット記録装置。
【請求項６】
前記吐出口からの前記主滴と前記副滴の吐出方向を前記搬送方向においてずらすように、前記インクと接する前記吐出口の周部に突起部を設けたことを特徴とする請求項１から５のいずれかに記載のインクジェット記録装置。
【請求項７】
前記記録ヘッドは、インク吐出用の熱エネルギーを発生する電気熱変換素子を有することを特徴とする請求項１から６のいずれかに記載のインクジェット記録装置。
【請求項８】
所定方向に搬送される記録媒体に画像を記録するインクジェット記録装置に用いられて、吐出口からインクの主滴と副滴を吐出可能な記録ヘッドにおいて、
前記記録媒体上における前記主滴の到達位置に対して前記副滴の到達位置を近づけるように、前記主滴と前記副滴の飛翔軌跡が前記記録媒体の搬送方向においてずれることを特徴とする記録ヘッド。
【請求項９】
前記副滴の飛翔軌跡が前記副滴の飛翔軌跡よりも前記搬送方向の下流側にずれることを特徴とする請求項８に記載の記録ヘッド。
【請求項１０】
前記記録媒体の記録面に対する前記主滴と前記副滴の吐出方向が前記搬送方向に沿う方向おいて傾斜するように、前記インクジェット記録装置に支持されることを特徴とする請求項８または９に記載の記録ヘッド。
【請求項１１】
前記吐出口からの前記主滴と前記副滴の吐出方向を前記搬送方向においてずらすように、前記インクと接する前記吐出口の近傍部分の濡れ性が前記搬送方向の上流側部分と下流側部分において異なることを特徴とする請求項８から１０のいずれかに記載の記録ヘッド。
【請求項１２】
前記吐出口からの前記主滴と前記副滴の吐出方向を前記搬送方向においてずらすように、前記吐出口が形成される吐出口面は、前記記録媒体の記録面に対して前記搬送方向に沿う方向において傾斜することを特徴とする請求項８から１１のいずれかに記載の記録ヘッド。
【請求項１３】
前記吐出口からの前記主滴と前記副滴の吐出方向を前記搬送方向においてずらすように、前記インクと接する前記吐出口の周部に突起部を設けたことを特徴とする請求項８から１２のいずれかに記載の記録ヘッド。
【請求項１４】
インク吐出用の熱エネルギーを発生する電気熱変換素子を有することを特徴とする請求項８から１２のいずれかに記載の記録ヘッド。
【発明の詳細な説明】
【技術分野】
【０００１】
本発明は、記録用紙のような種々の記録媒体にインクを付与して画像を記録するためのインクジェット記録装置および記録ヘッドに関し、さらに詳細には、記録媒体を所定の搬送方向に連続的に搬送しつつ画像を記録する、いわゆるラインタイプのインクジェット記録装置、およびそれに用いられる記録ヘッドに関するものである。
【背景技術】
【０００２】
インクジェット記録装置は、インクや、そのインクのプリント性を調整するための処理液などの液体（以下、これらを便宜的に「インク」と呼称する）をインクジェット記録ヘッドの吐出口から吐出することによって、紙、樹脂フィルム、布、または金属などの種々の記録媒体に所望の画像を形成する。このようなインクジェット記録装置は、記録ヘッドが記録媒体に対して非接触であるため、静粛性に優れる、記録速度が速い、高密度記録が可能であって記録画像のカラー化が容易である、さらに装置全体を小型化できる、などの利点を挙げることができる。
【０００３】
このようなインクジェット記録装置の１つとして、記録媒体における画像の記録領域の全幅に亘って複数の吐出口が配列された長尺のインクジェット記録ヘッドを用いる、いわゆるラインタイプの記録装置が知られている。このラインタイプのインクジェット記録装置においては、通常、記録ヘッドの吐出口からのインク滴の吐出方向が記録媒体の表面に対して垂直となるように、記録ヘッドが配置される。また、このラインタイプのインクジェット記録装置は、記録媒体を連続的に移動させながら記録を行うことができることから、記録ヘッドを記録媒体の搬送方向に対して交差する方向に走査移動させる、いわゆるシリアルタイプのインクジェット記録装置よりも高速で記録をすることが可能である。
【０００４】
また周知のように、記録媒体に向かって記録ヘッドの吐出口から吐出されるインク滴は、主インク滴（以下、これを「主滴」と略称する）と、分離インク滴としての副滴（以下,これを「サテライト」と呼称する）とで構成されている。記録媒体上において、これらの主滴とサテライトの到達位置（着弾位置）ずれた場合には、記録品位の悪化を招くおそれがある。
【０００５】
従来は、例えば特許文献１にも記載されているように、これらの主滴とサテライトの吐出方向を同一とするための研究がなされている。
【０００６】
【特許文献１】特開２０００−２６３７８８号公報
【発明の開示】
【発明が解決しようとする課題】
【０００７】
近年、ラインタイプのインクジェット記録装置においても、さらに記録速度の高速化を望む要求が高まりつつある。記録速度の高速化は記録媒体の搬送速度の高速化を伴う。
【０００８】
しかし、主滴とサテライトの吐出方向を同一とした場合には、記録媒体の搬送速度のさらなる高速化に伴って、記録画像の品質が次第に低下するおそれがあった。その理由は、主滴とサテライトの飛翔速度が相違するために、記録媒体の搬送速度の高速化に伴って、記録媒体上における主滴およびサテライトの到達位置（着弾位置）がずれるからである。
【０００９】
本発明の目的は、高速記録のために記録媒体の搬送速度の高速化を図りつつ、高品質の画像を記録することができるインクジェット記録装置および記録ヘッドを提供することにある。
【課題を解決するための手段】
【００１０】
本発明のインクジェット記録装置は、吐出口からインクの主滴と副滴を吐出可能な記録ヘッドを用いて、所定方向に搬送される記録媒体に画像を記録するインクジェット記録装置において、前記記録媒体上における前記主滴の到達位置に対して前記副滴の到達位置を近づけるように、前記主滴と前記副滴の飛翔軌跡を前記記録媒体の搬送方向においてずらすことを特徴とする。
【００１１】
本発明の記録ヘッドは、所定方向に搬送される記録媒体に画像を記録するインクジェット記録装置に用いられて、吐出口からインクの主滴と副滴を吐出可能な記録ヘッドにおいて、前記記録媒体上における前記主滴の到達位置に対して前記副滴の到達位置を近づけるように、前記主滴と前記副滴の飛翔軌跡が前記記録媒体の搬送方向においてずれることを特徴とする。
【発明の効果】
【００１２】
本発明によれば、記録媒体上における主滴の到達位置に対して副滴の到達位置を近づけるように、主滴と副滴の飛翔軌跡を記録媒体の搬送方向においてずらすことにより、記録媒体の搬送速度の高速化に伴う主滴と副滴の到達位置のずれの発生を抑えることができ、この結果、記録速度のさらなる高速化を図りつつ、高品質の画像を記録することができる。
【発明を実施するための最良の形態】
【００１３】
以下の本発明の実施形態として、ラインタイプのインクジェット記録装置に適用した場合の構成例について説明する。しかし本発明は、インクや処理液などの種々の液体の主滴と副滴を付与して画像を記録するための種々のインクジェット記録装置に対して、広く適用することができる。
【００１４】
（第１の実施形態）
図１は、本発明を適用可能なラインタイプのインクジェット記録装置（ラインプリンタ）の外観の模式的斜視図である。
【００１５】
図１において、一対の搬送ローラ１１、１２の間に巻き掛けられた無端の搬送ベルト１３は、一方の搬送ローラ１１に連結された図示しない搬送モータの作動により、搬送ローラ１１の回転を伴って旋回移動する。他方の搬送ローラ１２側から、この搬送ベルト１３上に送り込まれる記録媒体としての記録用紙１４は、図１中の矢印方向に搬送される。搬送ベルト１３上の記録用紙１４は、例えば静電気などを利用した図示しない吸着装置を用いて、搬送ベルト１３上に保持される。搬送ベルト１３の直上には、複数（図示例では４つ）のインクジェット記録ヘッド１５が配置される。これらの記録ヘッド１５は、図示しない支持手段としてのヘッド取り付け部に対して、交換可能に取り付けられている。そのヘッド取り付け部は、各記録ヘッド１５を記録用紙１４の搬送方向に沿って所定間隔で配列させるように支持する。
【００１６】
本例における記録ヘッド１５は、記録用紙１４の搬送方向の上流側から順に、ブラックインク吐出用、シアンインク吐出用、マゼンタインク吐出用、イエローインク吐出用の記録ヘッドとなっている。これらの記録ヘッド１５に形成されている図示しない複数の吐出口は、それらの記録ヘッド１５がヘッド取り付け部に取り付けられた状態において、記録用紙１４の搬送方向と直交する方向に沿って配列され、かつ記録用紙１４における記録領域の全幅に亘って配列される。
【００１７】
図２は、本発明に対する比較例として、記録ヘッド１５からの主滴とサテライトの吐出方向を同一方向に設定した場合の構成例の説明図である。
【００１８】
この図２の比較例においては、記録ヘッド１５の吐出口面（吐出口が形成される面）１６が記録用紙１４の記録面と平行とされており、記録ヘッド１５の各吐出口１７から吐出されるインク滴１８の吐出方向は、記録用紙１４の記録面に向かって垂直な方向となる。吐出口１７から吐出されるインク滴１８は、図２（ａ），（ｂ）のように、主滴１８Ａとサテライト１８Ｂとで構成されている。主滴１８Ａは先に記録用紙１４の表面に到達し、サテライト１８Ｂは、この主滴１８Ａに遅れて記録用紙１４の表面に到達する。すなわち、まず飛翔速度の速い主滴１８Ａが図２（ｃ）のように記録用紙１４に到達し、その後、飛翔速度の遅いサテライト１８Ｂが図２（ｄ）のように記録用紙１４に到達する。図２（ｃ）の時点から図２（ｄ）の時点までの経過時間Ｔの間に、主滴１８Ａが到達した記録用紙１４の位置は、搬送方向の下流側に距離Ｗだけ移動する。そのため、記録用紙１４の表面における主滴１８Ａとサテライト１８Ｂの到達位置の中心が距離Ｗだけずれてしまい、記録画像の品質の低下を招来する。
【００１９】
図３は、本発明の第１の実施形態におけるインク滴１８の吐出方向の説明図である。  
図３の構成において、記録ヘッド１５の吐出口１７から吐出されるインク滴１８の吐出方向は、仮想線Ｌ１に沿う方向とされている。その仮想線Ｌ１は、吐出口１７から記録用紙１４の表面に対して垂直な仮想線Ｌ０から、記録用紙１４の搬送方向の上流側に向けて角度θだけ傾斜する。吐出口１７から吐出された主滴１８Ａとサテライト１８Ｂは、重力と空気抵抗の影響によって、図３中の破線ＬＡ，ＬＢのような軌跡を描いて飛翔する。ＶＡは主滴１８Ａの吐出速度、ＶＡｙは、記録用紙１４に垂直な方向における吐出速度ＶＡの速度成分、ＶＢはサテライト１８Ｂの吐出速度、ＶＢｙは、記録用紙１４に垂直な方向における吐出速度ＶＢの速度成分である。サテライト１８Ｂの吐出速度ＶＢは、主滴１８Ａの吐出速度ＶＡよりも小さい。そのため、サテライト１８Ｂの飛翔軌跡ＬＢは、主滴１８Ａの飛翔軌跡ＬＡよりも記録用紙１４の搬送方向の下流側寄りにずれる。そのため、記録用紙１４が搬送されてない場合には、記録用紙１４の表面における主滴１８Ａとサテライト１８Ｂの到達位置の中心ＰＡ，ＰＢは所定の距離Ｗ１だけずれる。
【００２０】
また、主滴１８Ａとサテライト１８Ｂは、記録用紙１４に対して水平方向の速度成分、つまり記録用紙１４の搬送方向の上流側に向かう方向の速度成分ＶＡｘ、ＶＢｘをもつ。主滴１８Ａが記録用紙１４に到達した後において、サテライト１８Ｂと記録用紙１４との間の相対的な移動速度は、記録用紙１４の搬送速度よりも水平方向への速度成分ＶＢｘ分だけ小さくなる。そのため、主滴１８Ａとサテライト１８Ｂの到達位置の中心ＰＡ，ＰＢのずれは、図２（ｄ）におけるＷよりも縮まることになる。すなわち、図４（ａ）のように主滴１８Ａが記録用紙１４に到達してから、図４（ｂ）のようにサテライト１８Ｂが記録用紙１４に到達するまでの経過時間Ｔの間に、記録用紙１４が搬送方向に移動する距離は、図２のように、インク滴１８の吐出方向が記録用紙１４の記録面に向かって垂直方向である場合よりも小さくなる。そのため、記録用紙１４に対するサテライト１８Ｂの到着位置の中心ＰＢと主滴１８Ａの到着位置の中心ＰＡとの間のずれは、図２（ｄ）におけるＷよりも小さくなる。
【００２１】
図４（ａ）のように、飛翔速度の速い主滴１８Ａが記録用紙１４に到達してから、図４（ｂ）のように飛翔速度の遅いサテライト１８Ｂが記録用紙１４に到達するまでの経過時間Ｔの間に、主滴１８Ａの到達位置の中心ＰＡが記録媒体１４の搬送方向の下流側に移動する距離をＷとした場合、その距離Ｗと距離Ｗ１とを等しく設定することにより、図４（ｂ）のように、主滴１８Ａとサテライト１８Ｂのそれぞれの到達位置の中心ＰＡ，ＰＢを重ねることができる。この結果、良好な品質の画像を記録することができる。
【００２２】
また、サテライト１８Ｂの飛翔軌跡ＬＢが主滴１８Ａの飛翔軌跡ＬＡよりも記録媒体１４の搬送方向の下流側にずれているため、記録媒体１４の搬送方向の下流側に移動する主滴１８Ａの到達位置に追い付くようにサテライト１８を吐出させることができる。このことは、記録媒体１４の搬送速度をより高速化しても主滴１８Ａとサテライト１８Ｂのそれぞれの到達位置を重ねることができること、つまり記録速度の高速化を図りつつ、高品質の画像を記録できることを意味する。
【００２３】
本例においては、主滴１８Ａとサテライト１８Ｂのそれぞれの到達位置の中心ＰＡ，ＰＢを重ねるように設定した。しかし、主滴１８Ａによって記録用紙１４に形成されるドット領域内に、サテライト１８Ｂにより形成されるドット領域が収まるようにしてもよく、この場合にも高品質の画像を記録することができる。したがって、距離Ｗ，Ｗ１は必ずしも等しく設定する必要はない。
【００２４】
（第２の実施形態）
本例において、ラインプリンタとしての外観は前述した実施形態の図１と同様である。また、記録ヘッド１５の吐出口面１６は、図５のように記録用紙１４と平行とされており、インク滴１８（１８Ａ，１８Ｂ）は、吐出口１７から記録用紙１４に対して垂直な方向に吐出される。
【００２５】
図５は、本例における記録ヘッド１５の吐出口付近の模式的な断面図である。  
図５において、１９はヒーターボード、２０は天板であり、これらの間に、複数の吐出口１７と、それぞれの吐出口１７に連通する複数のインク流路が形成されている。それぞれのインク流路は、インクが供給される不図示の共通液室に連通されている。ヒーターボード１９には、インクを吐出するための熱エネルギーを発生する電気熱変換素子（ヒーター）２１が設けられており、画像データに基づいて電気熱変換素子２１を発熱させることにより、インク流路内のインクを発泡させ、その発泡エネルギーを利用して吐出口１７からインク滴１８（１８Ａ，１８Ｂ）を吐出させることができる。
【００２６】
ヒーターボード１９と天板２０において、少なくともそれらの表面１９Ａ，２０Ａは、インクの濡れ性が異なる材料によって形成されている。図５のように、ヒーターボード１９側が記録用紙１４の搬送方向の上流側に位置し、天板２０が記録用紙１４の搬送方向の下流側に位置する場合、後者の天板２０の表面（天板表面）２０Ａは、前者のヒーターボード１９の表面（ヒーターボード表面）１９Ａよりも表面エネルギーが小さく設定されている。そのため天板表面２０Ａは、ヒーターボード表面１９Ａよりも濡れ性がよい。それらの濡れ性の違いによって、吐出口１７から吐出されるサテライト１８Ｂの吐出方向は影響を受ける。すなわち、比較的小さいサテライト１８Ｂは、比較的大きい主滴１８Ａよりも濡れ性の違いによる影響を大きく受け、濡れ性のよい天板表面２０Ａ側に引っ張る力Ｆ１（図５（ａ））の作用により、その吐出方向が図５（ｂ）のように記録用紙１４の搬送方向の下流側にずらされる。そのため、記録用紙１４が搬送されてない場合には、記録用紙１４に対する主滴１８Ａとサテライト１８Ｂの到達位置の中心ＰＡ，ＰＢ間の距離は、図５（ｂ）のように距離Ｗ２となる。
【００２７】
したがって、前述した実施形態と同様に、主滴１８Ａが記録用紙１４に到達してからサテライト１８Ｂが記録用紙１４に到達するまでの経過時間Ｔの間に、主滴１８Ａの到達位置の中心ＰＡが記録媒体１４の搬送方向の下流側に移動する距離をＷとした場合、その距離Ｗと距離Ｗ２とを等しく設定することにより、主滴１８Ａとサテライト１８Ｂのそれぞれの到達位置の中心ＰＡ，ＰＢを重ねることができる。この結果、良好な品質の画像を記録することができる。
【００２８】
また、前述した実施形態の場合と同様に、主滴１８Ａによって記録用紙１４に形成されるドット領域内に、サテライト１８Ｂにより形成されるドット領域が収まるようにしてもよく、この場合にも高品質の画像を記録することができる。したがって、距離Ｗ，Ｗ２は必ずしも等しく設定する必要はない。
【００２９】
また、本例の場合とは逆に、ヒーターボード１９側が記録用紙１４の搬送方向の下流側に位置する場合には、ヒーターボード表面１９Ａの表面エネルギーを天板表面２０Ａよりも小さくすればよい。要は、インクと接する吐出口１７の近傍部分において、記録用紙１４の搬送方向の下流側部分の表面エネルギーを上流側部分の表面エネルギーを小さくして、前者の部分のインクの濡れ性を後者の部分よりもよくすることができればよい。また、このようにインクの濡れ性を異ならせる面は、インク流路の内面および／または吐出口面１６の一部であってもよく、インクの濡れ性の違いによって、サテライト１８Ｂの吐出方向を記録用紙１４の搬送方向の下流側にずらすことができればよい。
【００３０】
（第３の実施形態）
上述した第２の実施形態の場合には、記録ヘッド１５の吐出口面１６を記録用紙１４と平行とし、そしてサテライト１８Ｂに対して、それを記録用紙１４の搬送方向の下流側に引っ張る力Ｆ１を働かせるために、ヒーターボード表面１９Ａと天板表面２０Ａの材料を異ならせて、記録用紙搬送方向の下流側に位置する材料の表面エネルギーを小さくした。
【００３１】
本例の場合は、図６のように、ヒーターボード表面１９Ａと天板表面２０Ａとを同一材料によって形成した上、吐出口面１６を傾斜させている。これにより、インク流路および吐出口１７によって形成されるノズルは、記録用紙１４の搬送方向の下流側部分のノズル長が上流側部分のノズル長よりも長さＬｄ（図６（ｂ））だけ長く設定されている。このようなノズルの部分的な長さの違いによって、吐出口１７から吐出されるサテライト１８Ｂの吐出方向は影響を受ける。すなわち、比較的小さいサテライト１８Ｂは、比較的大きい主滴１８Ａよりもノズルの部分的な長さの違いによる影響を大きく受け、天板表面２０Ａ側に引っ張る力Ｆ２（図６（ａ））の作用により、その吐出方向が図６（ｂ）のように記録用紙１４の搬送方向の下流側にずらされる。そのため、記録用紙１４が搬送されてない場合には、記録用紙１４に対する主滴１８Ａとサテライト１８Ｂの到達位置の中心ＰＡ，ＰＢ間の距離は、図６（ｂ）のように距離Ｗ３となる。
【００３２】
したがって、前述した実施形態と同様に、主滴１８Ａが記録用紙１４に到達してからサテライト１８Ｂが記録用紙１４に到達するまでの経過時間Ｔの間に、主滴１８Ａの到達位置の中心ＰＡが記録媒体１４の搬送方向の下流側に移動する距離をＷとした場合、その距離Ｗと距離Ｗ３とを等しく設定することにより、主滴１８Ａとサテライト１８Ｂのそれぞれの到達位置の中心ＰＡ，ＰＢを重ねることができる。この結果、良好な品質の画像を記録することができる。
【００３３】
（第４の実施形態）
本例の場合は、図７のように、ヒーターボード表面１９Ａと天板表面２０Ａとを同一材料によって形成した上、吐出口１７の周部における記録用紙１４の搬送方向の下流側位置に突起部２２を設けた。この突起部２２によって、吐出口１７から吐出されるサテライト１８Ｂの吐出方向は影響を受ける。すなわち、第３の実施形態と同様に、比較的小さいサテライト１８Ｂは、比較的大きい主滴１８Ａよりも突起部２２の影響を大きく受け、天板表面２０Ａ側に引っ張る力Ｆ３（図７（ａ））の作用により、その吐出方向が図７（ｂ）のように記録用紙１４の搬送方向の下流側にずらされる。そのため、記録用紙１４が搬送されてない場合には、記録用紙１４に対する主滴１８Ａとサテライト１８Ｂの到達位置の中心ＰＡ，ＰＢ間の距離は、図７（ｂ）のように距離Ｗ４となる。
【００３４】
したがって、前述した実施形態と同様に、主滴１８Ａが記録用紙１４に到達してからサテライト１８Ｂが記録用紙１４に到達するまでの経過時間Ｔの間に、主滴１８Ａの到達位置の中心ＰＡが記録媒体１４の搬送方向の下流側に移動する距離をＷとした場合、その距離Ｗと距離Ｗ４とを等しく設定することにより、主滴１８Ａとサテライト１８Ｂのそれぞれの到達位置の中心ＰＡ，ＰＢを重ねることができる。この結果、良好な品質の画像を記録することができる。
【００３５】
（他の実施形態）
本発明は、記録用紙１４上における主滴１８Ａの到達位置に対して、サテライト１８Ｂの到達位置を近づけるように、サテライト１８Ｂの飛翔軌跡をずらすことができればよく、そのための構成は前述した実施形態のみに特定されない。また、前述した各実施形態のような構成を複数組み合わせてもよい。
【００３６】
また、記録ヘッドにおけるインクの吐出方式は、電気熱変換素子２１を用いた方式のみに特定されず、例えばピエゾ素子などを用いてインクを吐出させる方式であってもよい。
【図面の簡単な説明】
【００３７】
【図１】本発明を適用可能なインクジェット記録装置の外観の模式的斜視図である。
【図２】（ａ）〜（ｄ）は、本発明の比較例として、記録ヘッドからの主滴とサテライトの吐出方向を同一方向に設定した場合の構成例の説明図である。
【図３】本発明の第１の実施形態としての記録ヘッドの要部の拡大図である。
【図４】（ａ），（ｂ）は、図３の記録ヘッドから吐出される主滴とサテライトの到達位置の説明図である。
【図５】（ａ），（ｂ）は、本発明の第２の実施形態としての記録ヘッドにおける主滴とサテライトの吐出状態の説明図である。
【図６】（ａ），（ｂ）は、本発明の第３の実施形態としての記録ヘッドにおける主滴とサテライトの吐出状態の説明図である。
【図７】（ａ），（ｂ）は、本発明の第４の実施形態としての記録ヘッドにおける主滴とサテライトの吐出状態の説明図である。
【符号の説明】
【００３８】
１１、１２    搬送ローラ
１３    搬送ベルト
１４    記録用紙（記録媒体）
１５    記録ヘッド
１６    吐出口面
１７    吐出口
１８    インク滴
１８Ａ    主滴
１８Ｂ    サテライト
１９  ヒーターボード
１９Ａ  ヒーターボード表面
２０    天板
２０Ａ    天板表面
２１    電気熱変換素子（ヒーター）
【図１】
2005289012.tif 000003
【図３】
2005289012.tif 000004
【図４】
2005289012.tif 000005
【図５】
2005289012.tif 000006
【図６】
2005289012.tif 000007
【図７】
2005289012.tif 000008
【図２】
2005289012.tif 000009